(57)【要約】      （修正有）【課題】電流を導電可能でありながら、高いマッサージ効果を備えつつ、過度な押圧力を緩和するブラシ用ピンを備える皮膚刺激ブラシ用ピン、及びブラシを提供する。【解決手段】皮膚刺激ブラシ用ピン及びピンを備えたブラシは、導電可能に電気回路６に接続できる導電性樹脂からなる細長の胴部材３０と、胴部材の先端部に露出して取り付けられる金属製の電極部材５０と、胴部材の先端面と電極部材との間に充填される導電性接着剤４０と、を有する。【選択図】図４
0003229284.tif 000002
【実用新案登録請求の範囲】
【請求項１】
電気回路から導電可能に前記電気回路に接続できる導電性樹脂からなる細長の胴部材と、
前記胴部材の先端部に露出して取り付けられてなる金属製の電極部材と、
前記胴部材の先端面と前記電極部材との間に充填されてなる導電性接着剤と、を有する
ことを特徴とする皮膚刺激ブラシ用ピン。
【請求項２】
前記胴部材の先端部は、前記胴部材の中央部の周面から径方向内方に向かって段差を介して縮径された凸部が形成され、
ドーム型に形成された前記電極部材の内側凹部に前記凸部が嵌め込まれてなる
ことを特徴とする請求項１に記載の皮膚刺激ブラシ用ピン。
【請求項３】
前記電極部材の下端が前記段差に当接されてなる
ことを特徴とする請求項２に記載の皮膚刺激ブラシ用ピン。
【請求項４】
前記電極部材は、銀により構成されてなる
ことを特徴とする請求項１〜３のいずれか１つに記載の皮膚刺激ブラシ用ピン。
【請求項５】
前記導電性接着剤と前記電極部材との間にプライマー層を有する
ことを特徴とする請求項１〜４のいずれか１つに記載の皮膚刺激ブラシ用ピン。
【請求項６】
前記胴部材は、径方向に屈曲可能な弾性を有してなる
ことを特徴とする請求項１〜５のいずれか１つに記載の皮膚刺激ブラシ用ピン。
【請求項７】
前記胴部材は、導電性シリコーンゴムによって形成されてなる
ことを特徴とする請求項１〜６のいずれか１つに記載の皮膚刺激ブラシ用ピン。
【請求項８】
請求項１〜７のいずれか１つに記載の皮膚刺激ブラシ用ピンがブラシ台に複数個突設されてなる皮膚刺激ブラシであって、
柄及び該柄の一端に設けられてなる前記ブラシ台を構成するハウジングを備えてなり、
前記電気回路は、前記ハウジングに収容されてなる
ことを特徴とする皮膚刺激ブラシ。
【請求項９】
前記電気回路は、低周波電流を前記胴部材に対して印加可能に構成されてなる
ことを特徴とする請求項８に記載の皮膚刺激ブラシ。
【考案の詳細な説明】
【技術分野】
【０００１】
本考案は、皮膚を電気的に刺激する皮膚刺激ブラシ用ピン及びこれを用いたブラシに関する。
【背景技術】
【０００２】
従来のブラシとしては、例えば樹脂で形成されてなり、柄と、柄の先端に設けられたブラシ台と、ブラシ台から立設された複数のブリッスルとを有するものが知られている。
【０００３】
また、頭皮をマッサージ可能なブラシとして、以下の構成を備える育毛ブラシが知られている。
「育毛材などの溶液を入れた容器と、この容器に接続して前記溶液を頭皮に吐出するブリッスルと、生体を電気的に刺激する電流の電源と、この電源に接続して前記電流を頭皮に流すブリッスルと、を備えてなる育毛ブラシ。」
【先行技術文献】
【特許文献】
【０００４】
【特許文献１】特開２００３−３１９８３５号公報
【考案の概要】
【考案が解決しようとする課題】
【０００５】
しかし、従来技術においてブラシの毛にあたるブリッスル６ａは単一の素材によって形成されてなるが、皮膚への接触部分はマッサージ効果を与えるために毛の先端部は硬度の高い素材からなることが好ましいものの、ブラシを皮膚へ押し当てた際に、過度の押圧力を緩和するために毛の胴体部には先端部よりも柔らかく、適度な柔軟性があることが好ましかった。
【課題を解決するための手段】
【０００６】
そこで、上記課題を解決するための手段として本考案に係る皮膚刺激ブラシ用ピンは、電気回路から導電可能に前記電気回路に接続できる導電性樹脂からなる細長の胴部材と、前記胴部材の先端部に露出して取り付けられてなる金属製の電極部材と、前記胴部材の先端面と前記電極部材との間に充填されてなる導電性接着剤と、を有することを特徴とする。
【０００７】
前記胴部材の先端部は、前記胴部材の中央部の周面から径方向内方に向かって段差を介して縮径された凸部が形成され、ドーム型に形成された前記電極部材の内側凹部に前記凸部が嵌め込まれてなることとしても好ましい。胴部材の先端部に形成された凸部を電極部材の内側凹部に嵌め込んだうえで、前記と凸部と電極部材との間に導電性接着剤を充填することによって、導電性樹脂からなる胴部材と金属製の電極部材との密着性を高めると共に電極部材の胴部材からの脱離を防止することができ、皮膚刺激ブラシ用ピンとしての使用寿命の長期化を図ることが可能となる。
【０００８】
さらに、前記電極部材の下端が前記段差に当接されてなることが好ましい。これにより、前記段差を介して導電性樹脂からなる胴部材から直接に電極部材に対して電流を導電することができ、胴部材から電極部材へ導電される電流が全て導電性接着剤を介されるよりも導電効率を高めることができるからである。
【０００９】
また、前記電極部材は、銀により構成されてなることが好ましい。銀は適度な柔らかさを備えた導電性のよい金属であって、電極部材が銀で構成されることによって、皮膚へピンを当接させた際の肌触りがよいからである。一方、銀の他、電極部材として導電性に優れている点から、銅、金、若しくはプラチナを使用することができる。また、電極としては、ステンレス、アルミニウムなども使用することができる。
【００１０】
さらに、前記導電性接着剤と前記電極部材との間にプライマー層を有することとしても好ましい。プライマー層が導電性接着剤と電極部材との間に存在することで、導電性接着剤から電極部材が脱離するおそれを低減することができる。
【００１１】
さらにまた、前記胴部材は、径方向に屈曲可能な弾性を有してなるものであることが好ましい。
【００１２】
また、前記胴部材は、導電性シリコーンゴムによって形成されてなることが好ましい。
【００１３】
また、本考案に係る皮膚刺激ブラシは、前記皮膚刺激ブラシ用ピンがブラシ台に複数個突設されてなる皮膚刺激ブラシであって、柄及び該柄の一端に設けられてなる前記ブラシ台を構成するハウジングを備えてなり、前記電気回路は、前記ハウジングに収容されてなることを特徴とする。
【００１４】
また、前記皮膚刺激ブラシに用いられる前記電気回路は、低周波電流を前記胴部材に対して印加可能に構成されてなるものであることが好ましい。
【考案の効果】
【００１５】
本考案によれば、電気回路から導電性樹脂からなる胴部材を伝導した電流を、導電性接着剤を介して電極部材の内側面全体に対して伝達することができるので、電極部材と胴部材との密着力を維持し、繰り返し皮膚への押し当てが行われる皮膚刺激ブラシ用ピンの使用寿命を長期にわたって維持することができる。
【図面の簡単な説明】
【００１６】
【図１】皮膚刺激ブラシ１の左側面図である。
【図２】皮膚刺激ブラシ１の正面図である。
【図３】本発明に係る皮膚刺激ブラシ１の皮膚刺激ブラシ用ピン１０の拡大図である。
【図４】本発明に係る皮膚刺激ブラシ１の皮膚刺激ブラシ用ピン１０の拡大断面図である。
【図５】皮膚刺激ブラシ用ピン１０の先端部分の拡大断面図である。
【考案を実施するための形態】
【００１７】
以下、本考案に係る実施の形態を、図を参照しながら詳しく説明する。なお、本明細書及び図面において、実質的に同一の機能構成を有する構成要素については、同一の符号を付することにより重複説明を省略する。また、下記で示す実施の形態は、本考案の一例を示すものである。したがって、本考案の技術的範囲は本実施形態に限定されるものではない。
【００１８】
まず初めに、図１及び図２を参照して、本実施形態に係る皮膚刺激ブラシ１の構成の一例を説明する。図１は皮膚刺激ブラシ１の左側面図である。図２は皮膚刺激ブラシ１の正面図である。
【００１９】
皮膚刺激ブラシ１は、柄３と柄３の一端に設けられてなるブラシ台４とを有してなる。柄３及びブラシ台４は、ハウジング２によって構成されてなる。ブラシ台４には、皮膚刺激ブラシ用ピン１０が複数個突設されてなる。ハウジング２には、電気回路６が収容されてなる。
【００２０】
柄３は、下端から中間部に掛けて拡径し、上端に向かうにつれて縮径する楕円柱状に形成されてなる。柄３の一端は、ブラシ台４と接続されてなる。柄３は、使用者によって手で握られる部分である。柄３は、例えば樹脂等で形成することができる。柄３の周面は、ハウジング２として構成されてなる。また、使用者はハウジング２におけるブラシ台４の背面側部分であるヘッド部分８を把持して皮膚刺激ブラシ１を使用してもよい。ヘッド部分８を把持することより、皮膚への刺激動作を皮膚刺激ブラシ用ピン１０の背面側から垂直に押圧するとともに、皮膚刺激ブラシ用ピン１０を皮膚に押圧させた状態を保持したままで胴部材３０の径方向に対して任意の方向に力を込めることができ、柄３を把持して手首の屈曲動作により刺激する場合とは異なる刺激動作を容易に行うことができる。特に、本実施の形態にあるようにヘッド部分８が柄３よりも背面方向に膨出して形成されてなればヘッド部分８はより把持し易い形状となる。
【００２１】
ブラシ台４は、柄３の正面と接続されてなる。ブラシ台４には、皮膚刺激ブラシ用ピン１０が複数個突設されてなる。ブラシ台４は、例えば樹脂等で形成することができる。ブラシ台４の周面はハウジング２として構成されてなる。ブラシ台４には、皮膚刺激ブラシ用ピン１０が挿通されるブラシ台孔５が複数個形成されてもよい。ブラシ台孔５は、ブラシ台４を内外に貫通する小孔に形成されてなる。ブラシ台孔５は、ブラシ台４の正面に散りばめて形成されてなる。本実施形態で示す一例ではブラシ台４は、ブラシ台孔５が穿設されてなることとしたが、ブラシ台４の形状はこれに限定されるものではなく、複数個の皮膚刺激ブラシ用ピン１０を突設することができるものであればよい。例えば、ブラシ台孔５の代わりに、皮膚刺激ブラシ用ピン１０の胴部材３０とブラシ台４とが一体として形成されてなることとしてもよい。
【００２２】
柄３とブラシ台４とは、前後に分割された二つのハウジング２が接合されることによって形成されてなる。柄３とブラシ台４とは一体形成されてもよく、独立した柄３とブラシ台４とを柄３の一端とブラシ台４の一端とで接合することにより構成されてもよい。
【００２３】
ハウジング２は、柄３とブラシ台４とを構成する。ハウジング２の内部には、電気回路６が収容されてなる。ハウジング２は、電気回路６に加えて、電気回路６と接続されたバッテリーや電池を収容することとしてもよい。ハウジング２には、充電に用いられるコネクタが設けられてもよい。ハウジング２は、電池ケースを収容することとしてもよい。
【００２４】
電気回路６は、ハウジング２に収容されてなる。電気回路６は、プリント基板によって構成されてなることとしてもよい。電気回路６は、複数個のスルホール７が穿たれてなる。スルホール７は、電気回路６をハウジング２に収容したときにブラシ台孔５に対応する位置に穿たれてなる。電気回路６には、バッテリーや電池が接続されてもよい。電気回路６は、低周波電流を基底部２０に対して印加可能に構成されてもよい。例えば、電気回路６には、公知の各種低周波電流発生器若しくは低周波変調器を設けてもよい。
【００２５】
次に、図３及び図４を参照して、本実施形態に係る皮膚刺激ブラシ１の皮膚刺激ブラシ用ピン１０の一例について説明する。図３は本考案に係る皮膚刺激ブラシ１の皮膚刺激ブラシ用ピン１０の拡大図である。図４は本考案に係る皮膚刺激ブラシ１の皮膚刺激ブラシ用ピン１０の拡大断面図である。
【００２６】
皮膚刺激ブラシ用ピン１０は、電気回路６から導電可能に電気回路６に接続できる金属製の基底部２０を有する。本実施形態に係る皮膚刺激ブラシ用ピン１０は、細長の導電性樹脂である導電性シリコーンゴムからなる棒体であって、基底部２０が基端に配設されてなる胴部材３０を有してなる。皮膚刺激ブラシ用ピン１０は、胴部材３０の先端部に取り付けられて、先端が露出してなる電極部材５０を有してなる。本実施の形態において、電極部材５０は銀製のドーム型に形成されてなる。また、胴部材３０の先端部は、胴部材中央部の周面から径方向内方に向かって段差３２を介して縮径された凸部３３が形成され、ドーム型に形成された電極部材５０の内側凹部５１に凸部３３が嵌め込まれてなる。電極部材５０は、段差３２と当接してなると共に、胴部材３０の先端面である凸部３３の表面と電極部材５０の内側凹部５１の内面との間には導電性接着剤４０が充填されて胴部材３０と電極部材５０とを接着してなる。導電性接着剤４０は、例えばＲＴＶ（Room  Temperature  Vulcanizing）ゴム等の種々の導電性接着剤４０を使用することができる。導電性接着剤の例としては、１液型弾性の導電性接着剤であって、炭素粉末や銀粉末が混合されてなるものを用いることもできる。接着剤の主成分にはエポキシ樹脂系やアクリル変成特殊ポリマーを用いたものなどが挙げられる。
【００２７】
基底部２０は、皮膚刺激ブラシ用ピン１０の長さ方向の軸を中心とした回転体に形成されてなる。基底部２０は中密に形成されてなる。基底部２０は、その基端部に細長形状のピン２１が突設されてなる。ピン２１は、基底部２０の本体から基端側に向かって突設されてなる。
【００２８】
図３に示すように、基底部２０は、電気回路６から導電可能に電気回路６に接続されてなる。基底部２０は、ピン２１がスルホール７に挿入されてなる。基底部２０は、ピン２１がスルホール７に挿入されることで、ピン２１とスルホール７とが当接して電気回路６と接続されてなる。本実施形態で示す一例では、基底部２０はピン２１がスルホール７と当接することで電気回路６と接続されることとしたが、電気回路６との接続方法はこれに限られるものではなく、基底部２０が電気回路６と接続されるものであれば各種方法を採用することができる。例えば、基底部２０に対して電気回路６と接続された導電性コードが接続されることとしてもよい。
【００２９】
胴部材３０は、先端に向かって縮径して形成されてなる。胴部材３０は、基端部の外周面にフランジ状の胴抜け止め部３１が形成されてなる。
【００３０】
胴部材３０は、胴抜け止め部３１がハウジング２の内側面と当接してなる。胴部材３０は、胴抜け止め部３１がハウジング２のブラシ台孔５の縁に引っ掛かることでブラシ台孔５から抜けないように抜け止めされてなる。胴部材３０は、基端部の底端が電気回路６上に当接すると共に、胴抜け止め部３１の先端側面がブラシ台４の内側面と当接することで、基端部がブラシ台４に固定されてなる。
【００３１】
胴部材３０は、皮膚刺激ブラシ用ピン１０の長さ方向を軸として径方向に屈折可能な弾性を有してなることが好ましい。胴部材３０は、耐水性を有してなることが好ましい。
【００３２】
胴部材３０の基端部は、ブラシ台４に対して隙間なく配設されてなることで、胴部材３０の胴抜け止め部３１が、ハウジング２の内側面と当接してシーリングしてなる。
【００３３】
電極部材５０は、胴部材３０の先端に接続されて、先端が露出してなる。電極部材５０と胴部材３０とは、導電性接着剤４０によって接着されてなるが、導電性接着剤４０と電極部材５０の内面との間にプライマー層４１を設けることによって、電極部材５０と胴部材３０との密着性を向上させることができる。
【００３４】
電極部材５０は耐食性を有することとしてもよい。また、電極部材５０には、ステンレス、銅、アルミニウム、金、若しくはプラチナを用いることもできる。
【００３５】
以下では、本実施形態に係る皮膚刺激ブラシ１の一例の使用手順に沿って、皮膚刺激ブラシ１の作用及び効果について説明する。
【００３６】
まず初めに、皮膚刺激ブラシ１の使用者は、ハウジング２に設けられた皮膚刺激ブラシ１の電源（図示しない。）を入れる。
【００３７】
本実施形態の一例に示す皮膚刺激ブラシ１にあっては、電源が入ることで、電気回路６に電流が流れる。また、基底部２０は、電気回路６から導電可能に電気回路６に接続されてなる。より具体的には、基底部２０は、ピン２１がスルホール７と当接してスルホール７に挿通されてなる。これにより、電気回路６に流れた電流によって基底部２０を介して胴部材３０が導電される。さらに、胴部材３０は、電極部材５０と当接してなると共に、導電性接着剤４０を介して電極部材５０へ電流を導電することができる。これにより、胴部材３０に流れた電流が電極部材５０に流れる。これによって、電極部材５０に電流が導電される。
【００３８】
また、本実施形態の一例に示す皮膚刺激ブラシ１にあっては、電気回路６が低周波電流を胴部材３０に対して印加可能に構成されてなる場合、例えば、電気回路６が低周波電流発生器若しくは低周波変調器を有する場合には、胴部材３０に低周波電流が印加される。これにより、胴部材３０を経由して電極部材５０に低周波電流が流れる。
【００３９】
次に、電極部材５０が導電された皮膚刺激ブラシ１を皮膚に当接させてマッサージを行う。この場合、電極部材５０と皮膚とが当接して、皮膚に電気刺激と押圧刺激が加えられる。
【００４０】
皮膚としては、頭皮を含む身体中の皮膚を対象とすることができる。ここで、導電性接着剤４０を用いて胴部材３０と電極部材５０とを接着することによって、両者の接着寿命を長期にわたって維持することができる。これにより皮膚刺激ブラシ用ピン１０の使用寿命、ひいては、皮膚刺激ブラシ１を長期にわたって使用したいという使用者のニーズに十分に応えることができるものとなった。
【００４１】
また、本実施形態の一例に示す皮膚刺激ブラシ１のブラシ台４と胴部材３０とが隙間なく互いに接続されてなる場合にあっては、胴部材３０とブラシ台４との間からハウジング２内部に液体や湿気が浸入することを抑制することができる。これにより、電気回路６の腐食を抑制して、導電性の低下を抑制することができる。
【００４２】
また、本実施形態の一例に示す皮膚刺激ブラシ１の電極部材５０の先端が曲面に形成されてなる場合にあっては、電極部材５０が皮膚に当接した際に良好な感触を得ることができる。
【００４３】
次に、皮膚刺激ブラシ１の皮膚刺激ブラシ用ピン１０を皮膚面に対して斜め方向から皮膚に押し当てる。
【００４４】
この場合、本実施形態の一例に示す皮膚刺激ブラシ１の胴部材３０が径方向に屈曲可能な弾性を有してなるときは、胴部材３０が径方向に屈曲することができる。これにより、胴部材３０の弾性によって生ずる復元力によって皮膚が押圧されて、良好なマッサージ効果を得ることができる。
【００４５】
その他、本実施形態の一例に示す皮膚刺激ブラシ１によって生ずる作用効果を説明する。
【００４６】
本実施形態の一例に示す皮膚刺激ブラシ１によれば、電極部材５０から皮膚に対して与えられる低周波電流が、皮膚の血流を増加させて細胞の代謝を活発化させることができる。これにより、毛髪が生えている部位の皮膚を刺激すれば抜け毛を抑制することができる。また、顔の皮膚を刺激すれば、即効性のある皮膚のリフトアップ効果を発揮することができ、化粧を行う前の肌の状態を改善し、化粧のりを良くすることができる。
【００４７】
また、前記皮膚のリフトアップ効果は、顔以外の皮膚に対しても引き締め効果として発揮でき、皮膚のたるみを抑制することができる。
【００４８】
本実施形態の一例に示す皮膚刺激ブラシ１は、胴部材３０の胴抜け止め部３１がハウジング２の内側面と電気回路６とによって固定されてなる。これによって、皮膚刺激ブラシ用ピン１０がブラシ台孔５から抜けてしまったり、若しくは押し込まれてしまったりといった問題の発生を抑制することができる。
【００４９】
なお、上述した作用及び効果は、本実施形態の一例に示す皮膚刺激ブラシ１の作用及び効果であることに留意されたい。したがって、本実施形態の作用及び効果によって、本考案の技術的範囲は限定されるものではない。
【符号の説明】
【００５０】
１        皮膚刺激ブラシ
２        ハウジング
３        柄
４        ブラシ台
５        ブラシ台孔
６        電気回路
７        スルホール
１０      皮膚刺激ブラシ用ピン
２０      基底部
２１      ピン
３０      胴部材
４０      導電性接着剤
４１      プライマー層
５０      電極部材
【図１】
0003229284.tif 000003
【図２】
0003229284.tif 000004
【図３】
0003229284.tif 000005
【図４】
0003229284.tif 000006
【図５】
0003229284.tif 000007